(57)【要約】【課題】部品点数が少なく、不織布の歩留りが高く、羽根ガードのサイズに拘らず高い集塵効果が得られ、羽根ガードへの取り付けが容易で、使用中の外観も良好な扇風機用フィルタを提供する。【解決手段】不織布１５を矩形状としたので、フィルタ製造時、反物状の不織布ロールを裁断し、その両長辺部１５ａ，１５ｂに長ゴムバンド１６および短ゴムバンド１７をそれぞれ縫着するだけで、羽根ガード１４のサイズに拘らず高い集塵効果が得られる扇風機用フィルタ１０を、部品点数が少なく、使用中の外観も良好で、しかも羽根ガード１４への取り付けも容易で、不織布１５を簡単かつ高い歩留りにより製造できる。【選択図】図１
2007239557.tif 000002
【特許請求の範囲】
【請求項１】
扇風機のモータ部の出力シャフトに固着された回転羽根を外方から被う羽根ガードの背面部を被覆可能な略矩形状の不織布と、
該不織布の両長辺部に、対応する長辺部の略全長にわたってそれぞれ固着され、かつ自然放置された状態で該不織布への固着部分の長さが異なる１対の弾性バンドとを備え、両弾性バンドのうち、少なくとも前記不織布に対する固着部分の長さが長い方の弾性バンドの両端部を、前記不織布の両短辺からそれぞれ外方へ突出させて結束部とした扇風機用フィルタ。
【請求項２】
前記弾性バンドはゴム紐である請求項１に記載の扇風機用フィルタ。
【請求項３】
前記不織布の短辺部同士を係止する係止部材を有した請求項１または請求項２に記載の扇風機用フィルタ。
【発明の詳細な説明】
【技術分野】
【０００１】
この発明は扇風機用フィルタ、詳しくは扇風機の回転羽根を被う羽根ガードの背面部に着脱自在に取り付けられ、扇風機の背面から吸い込まれる空気中の微細なごみやほこりなどを捕集する扇風機用フィルタに関する。
【背景技術】
【０００２】
近年、扇風機の回転羽根を外方から被う羽根ガードの背面部のみを被覆することで、扇風機の使用時に室内に浮遊している微細なごみやほこりを捕集し、回転羽根および羽根ガードの汚れを防止する扇風機用フィルタが開発されている。
従来、この背面被覆方式の扇風機用フィルタとして、例えば特許文献１および特許文献２が知られている。
特許文献１のフィルタは、展開状態でドーナツ形状の一部分を半径方向に沿って扇状に裁断した形状を有し、かつ扇風機のモータ部に固定された羽根ガードの背面部を被覆可能なフィルタ材と、フィルタ材の外周縁部に縫着された伸縮自在な１本の平ゴムバンドと、羽根ガードに巻回されたフィルタ材の両端部を係止する面状ファスナとを備えていた。
【０００３】
特許文献１の使用時には、フィルタ材の外周縁部側を羽根ガードの最大径部、すなわち羽根ガードの前面部と背面部との連結部分に沿わせるとともに、フィルタ材の内周縁部側を羽根ガードのモータ部との連結部分に沿わせ、フィルタ材を羽根ガードに巻回する。その後、フィルタ材の両端部同士を着脱テープにより係止する。羽根ガードの最大径部には、平ゴムバンドの弾性力により、フィルタ材の外周縁部が密着される。
回転羽根が回転すると、室内の空気が羽根ガードの背面部からその内部空間へ吸い込まれる。このとき、空気中の微細なごみやほこりは、背面部の裏側に展張されたフィルタ材により捕集される。その後、クリーンな空気のみが羽根ガードの前面部を通って扇風機の前方へ吹き出される。
【０００４】
また、特許文献２のフィルタは、略矩形状の不織布の両長辺部に管状のバンド通し部を縫製し、両バンド通し部に不織布の長辺より短い弾性バンドをそれぞれ挿通し、このうち、モータ部側のバンド通し部に挿通される弾性バンドの長さを、羽根ガードの前面部側の弾性バンドより短くするとともに、各弾性バンドの両端部に係止部材を配設したものである。
【０００５】
特許文献２の使用時には、あらかじめ不織布の短尺な弾性バンド側の長辺部を手繰り、こうして短くしたバンド通し部の両端から弾性バンドの両端部を外方へそれぞれ突出させる。この状態のまま、羽根ガードの背面部を不織布により被覆する。その際、短尺な弾性バンドの両端部は、いったん交差後、モータ部の元部の外周面に巻き付け、この交差箇所とはモータ部の反対側で、弾性バンドの両端の係止部材同士を掛止する。一方、残りのバンド通し部に挿通された長尺な弾性バンドの両端部を引き延ばし、弾性バンドの両端部を交差させ、この状態のまま、両係止部材を、扇風機の前面部の背面部側の部分において所定の線材にそれぞれ掛止する。次に、両係止部材を線材に沿って前面部の背面部側の端まで滑らせる。その後、不織布の外縁部の一部分を摘み上げ、これを弾性バンドの両端部および両係止部材の上に被せる。これにより、羽根ガードのサイズ（直径など）に拘らず、羽根ガードの全体を良好に被覆することができる。
【特許文献１】特開平１１−１５９４９９号公報
【特許文献２】特開２００３−２１０９４号公報
【発明の開示】
【発明が解決しようとする課題】
【０００６】
しかしながら、特許文献１では不織布が扇形状であった。そのため、反物状の不織布ロールから不織布を裁断する際、不要な端切れが大量に発生して歩留りが低下していた。
また、平ゴムバンドは、扇形状のフィルタ材の外周縁部に縫着されたまま、羽根ガードの最大径部に圧着されているだけだった。そのため、扇風機の風圧に耐えきれず、扇風機の使用時にフィルタ材の外周縁部がバタついていた。
そして、平ゴムバンドは、扇形状のフィルタ材の外周縁部のみに縫着され、フィルタ材の内周縁部には存在しなかった。そのため、フィルタ材の内周縁部を羽根ガードのモータ部側に取り付けるとき、仮にフィルタ材の内周縁の長さがモータ部の周りより長ければ、フィルタ材の重なり部分が大きくなり、その重なった部分の通気性が低下し、フィルタ材の表面全域における通気性にバラツキが生じてしまい、かつ扇風機用フィルタの使用期間も低下していた。
【０００７】
一方、特許文献２では、略矩形状の不織布の両長辺部に管状のバンド通し部をそれぞれ縫製したり、両バンド通し部に弾性バンドをそれぞれ通したり、これらの弾性バンドの両端部に係止部材を取り付けなければならず、扇風機用フィルタの製造が面倒で、コスト高となっていた。
しかも、羽根ガードの背面部を不織布により被覆するときには、両弾性バンドの両端部をそれぞれ交差させ、その後、両係止部材同士を掛止させたり、両係止部材を羽根ガードの線材にそれぞれ掛止しなければならなかった。そのため、特許文献２の扇風機用フィルタの使用が面倒であった。
【０００８】
そこで、この発明は、部品点数が少なく、不織布の歩留りが高く、羽根ガードのサイズにかかわらず高い集塵効果が得られるとともに、羽根ガードへの取り付けが容易で、使用中の外観も良好な扇風機用フィルタを提供することを、その目的としている。
また、この発明は、扇風機の使用中、不織布の両端部の隙間から埃などが羽根ガードの内部空間に吸い込まれるおそれを防止することができる扇風機用フィルタを提供することを目的としている。
【課題を解決するための手段】
【０００９】
請求項１に記載の発明は、扇風機のモータ部の出力シャフトに固着された回転羽根を外方から被う羽根ガードの背面部を被覆可能な略矩形状の不織布と、該不織布の両長辺部に、対応する長辺部の略全長にわたってそれぞれ固着され、かつ自然放置された状態で該不織布への固着部分の長さが異なる１対の弾性バンドとを備え、両弾性バンドのうち、少なくとも前記不織布に対する固着部分の長さが長い方の弾性バンドの両端部を、前記不織布の両短辺からそれぞれ外方へ突出させて結束部とした扇風機用フィルタである。
【００１０】
請求項１に記載の発明によれば、不織布は略矩形状である。そのため、例えば反物状の不織布ロールを用意し、ロールから導出された帯状の不織布を所定長さずつ裁断すれば、目的形状の不織布が得られる。これにより、部品点数が少なく、不織布を簡単かつ高い歩留りで製造することができる。その結果、扇風機用フィルタの低コスト化が図れる。その後、不織布の両長辺部に、対応する長辺部の略全長にわたり、自然放置された状態で不織布への固着部分の長さが異なる弾性バンドを固着する。このように、弾性バンドの不織布への取り付けも容易である。
【００１１】
また、扇風機用フィルタの使用時には、不織布により羽根ガードの背面部を外方から被覆する。その際、不織布のうち、長尺な弾性バンドが固着された一方の長辺部を、この長尺な弾性バンドを伸長させながら羽根ガードの大径部の全域に当てがい、両結束部同士を結ぶ。これにより、大きさ（直径）が異なる羽根ガードであっても、長尺な弾性バンドの弾性力（収縮力）により、不織布の一方の長辺部を羽根ガードの大径部の全周にわたって隙間なく密着させることができる。その結果、羽根ガードのサイズにかかわらず高い集塵効果が得られる。
そして、不織布のうち、短尺な弾性バンドが固着された他方の長辺部は、一方の長辺部に比べて長さが短く、通常状態（自然放置の状態）で絞り込まれて多数のギャザーを有している。そのため、前記羽根ガードの大径部に比べて小径なモータ部の周りにも、短尺な弾性バンドが固着された他方の長辺部を、隙間なく沿わせるとともに捕集面積も大きくすることができる。その結果、羽根ガードとモータ部との連結部分における集塵効果が高まる。そして、扇風機用フィルタは、このように使用することで、羽根ガードへの取り付けが容易で、使用中の外観も良好となる。
【００１２】
使用される扇風機の羽根ガードのサイズ、具体的には羽根ガードの形状、羽根ガードの直径、羽根ガードの内周縁から外周縁までの半径方向に沿った長さ、および、モータ部の直径などは任意である。
また、不織布の種類は任意である。大気汚染による空気中の粉塵のほか、花粉などを効率良く捕集可能な目付を有する不織布が好ましい。不織布としては、例えば綿、麻、絹などの天然繊維からなる不織布でもよいし、プロピレン系樹脂繊維、ポリエステル系樹脂繊維、ポリエチレン系樹脂繊維などの各種の合成樹脂繊維からなる不織布でもよい。また、通気性を確保して不織布を合成樹脂により固めたものでもよい。その他、アルミニウム、鉄などの金属製繊維の不織布でもよいし、ガラス繊維からなる不織布でもよい。
【００１３】
不織布には、例えば各種のプリント法によって、任意の模様、任意の図形、任意の絵などを印刷してもよい。
不織布の縦横の長さは任意である。要は、羽根ガードの背面部の全域を外方から被覆可能な平面視して略矩形状となっていればよい。ただし、一般的な家庭用の扇風機のサイズは、羽根ガードの直径の平均が約４０ｃｍ、モータ部の直径の平均が約１２ｃｍである。これに対応して不織布の好ましい寸法は、縦（長辺側）１１０〜１３０ｃｍ、横（短辺側）２０〜２４ｃｍである。ちなみに、家庭用の大型の回転羽根の直径は３５ｃｍ、家庭用の小型の回転羽根の直径は３０ｃｍである。
【００１４】
不織布により覆われる羽根ガードの箇所は背面部だけでなく、羽根ガードの背面部と前面部との両方でもよい。
また、不織布に消臭性、抗菌性を付与してもよい。消臭性を与える物質としては、例えば粉末活性炭などが挙げられる。さらに、抗菌性を与える物質としては、例えば酸化チタンなどを挙げることができる。これらは、あらかじめ不織布の繊維中に含めてもよいし、不織布の製造後、塗布法などで不織布の所定面に付着したり、この所定面から各繊維内に含浸してもよい。
【００１５】
弾性バンドが自然放置された状態とは、外力の作用がない自然のままの状態であることをいう。
弾性バンドの素材は任意である。例えばゴムバンド、伸縮性を有する合成樹脂バンド、コイルばね（ステンレス製など）のような弾性力を有する金属バンドでもよい。この弾性バンドは、その長さ方向の一部分だけを弾性体としてもよい。ただし、通常は、このバンドの全長が弾性体からなる。
弾性バンドを不織布に固定する方法は任意である。例えば、縫着、ゴム系接着剤など弾性を有する接着剤による接着でもよい。弾性バンドのうち、不織布に対する固着部分の長さは、不織布の長辺部の長さと略同じか短くする必要がある。特に、短尺な方の弾性バンドは、必ず不織布の長辺部の長さより短くする。そのため、不織布の長辺部にはギャザーが現出される。
【００１６】
不織布に対する固着部分の長さに関して、長い方の弾性バンドと、短い方の弾性バンドとの長さの差は任意である。例えば、短い方（モータ部側）の弾性バンドの不織布に対する固着部分の長さを２５〜４５ｃｍ、長い方の弾性バンドの不織布に対する固着部分の長さを５０〜７０ｃｍとしてもよい。この場合、その長さの差は２〜１５ｃｍである。短い方の弾性バンドの両端部は、不織布から突出させてそれぞれ結束部としてもよいし、そうしなくてもよい。
結束部の長さは任意である。ただし、対応するもの同士を結束可能な長さ（例えば５〜１５ｃｍ）は必要である。
【００１７】
請求項２に記載の発明は、前記弾性バンドはゴム紐である請求項１に記載の扇風機用フィルタである。
ゴムバンドの種類は任意である。平ゴムでもよいし、丸ゴムでもよい。平ゴムの場合、通常、その伸び率は２．５倍である。
【００１８】
請求項３に記載の発明は、前記不織布の短辺部同士を係止する係止部材を有した請求項１または請求項２に記載の扇風機用フィルタである。
【００１９】
請求項３に記載の発明によれば、羽根ガードへの不織布の装着時、不織布の一方の端部と、他方の端部とを係止部材を介在して係止（掛止）する。これにより、扇風機の使用中に、不織布の両端部に隙間が形成され、そこから埃などが羽根ガードの内部空間に吸い込まれるおそれが無くなる。
【００２０】
係止部材の種類は任意である。例えば、布の一面または両面に多数の鉤状突起（雄型の面状ファスナ）が植設された面状ファスナでもよい。その他、フック、ホックなどを採用してもよい。
両面に多数の鉤状突起を植設した面状ファスナとすれば、不織布の一方の端部にループ状突起（雌型の面状ファスナ）を接着したり、縫着する手間が不要となり、羽根ガードへの不織布の装着が容易となる。
【発明の効果】
【００２１】
この発明の請求項１に記載の発明によれば、不織布を略矩形状としたので、不織布を例えば反物状の不織布ロールを裁断のみによって簡単かつ高い歩留まりで製造することができる。しかも、不織布に対する固着部分の長さが異なるように、不織布の両長辺部に１対の弾性バンドを固着したので、羽根ガードのサイズにかかわらず高い集塵効果が得られ、かつ使用中の外観も良好で、羽根ガードへの取り付けも容易な扇風機用フィルタを、少ない部品点数で製造することができる。
【００２２】
特に、請求項３の発明によれば、不織布の短辺部同士を係止する係止部を設けたので、扇風機の使用中、不織布の両端部の隙間から埃などが羽根ガードの内部空間に吸い込まれるおそれを防止することができる。
【発明を実施するための最良の形態】
【００２３】
以下、この発明の実施例を具体的に説明する。
【実施例１】
【００２４】
図１〜図４において、１０はこの発明の実施例１に係る扇風機用フィルタである。この扇風機用フィルタ１０は、扇風機１１のモータ部１２の出力シャフトに固着された回転羽根１３を外方から被う羽根ガード１４の背面部１４Ｂを被覆可能な略矩形状の不織布１５と、不織布１５の両長辺部１５ａ，１５ｂに、対応する長辺部１５ａ，１５ｂの略全長にわたってそれぞれ固着され、かつ自然放置された状態で不織布１５への固着部分の長さが異なる長ゴムバンド（弾性バンド）１６および短ゴムバンド（弾性バンド）１７とを備えている。
【００２５】
以下、これらの構成体を詳細に説明する。
不織布１５は平面視して略矩形状で、不織布ロールから導出された幅（短辺）約２２ｃｍの帯状の不織布１５を、長さ（長辺）約１２５ｃｍごとに、順次、裁断することで容易に得られる（図２）。この大きさに裁断すれば、得られた不織布１５によって、直径３５ｃｍの羽根ガード１４の背面部１４Ｂの略全域を外方から被覆することができる。これにより、部品点数が少なく、不織布１５を簡単かつ高い歩留りで製造することができる。その結果、扇風機用フィルタ１０の低コスト化が図れる。
不織布１５は、繊維径が約６デニールのポリエステル系樹脂繊維を、所定のバインダにより接着して得られたものである。目付は３０ｇ／ｍ２であり、見かけ厚さは１５〜２．５ｍｍ、フィルタ圧力損失は０．６５ｍｍＨ２Ｏである。
【００２６】
不織布１５の一方の長辺部１５ａの全域には、長さ５６ｃｍを有した長ゴムバンド１６の両端部を除く部分が縫着されている。前記長辺部１５ａの長さ１２５ｃｍに対して、長ゴムバンド１６の不織布１５に対する縫着部分（固着部分）の長さ５６ｃｍであるため、長ゴムバンド１６を縫着後の前記長辺部１５ａには若干のギャザーが形成される。長ゴムバンド１６の両端部は、不織布１５の対応する短辺から外方へ１２ｃｍ程度それぞれ突出され、これらの突出部分がそれぞれ結束部１８を構成する。
【００２７】
不織布１５の他方の長辺部１５ｂの全域には、長さ３５ｃｍの短ゴムバンド１７の両端部を除く部分が縫着されている。前記長辺部１５ｂの長さ１２５ｃｍに対して、短ゴムバンド１７の不織布１５に対する固着部分の長さは３５ｃｍであるため、短ゴムバンド１７を縫着後の前記長辺部１５ｂには多数のギャザーが形成される。短ゴムバンド１７の両端部は、不織布１５の対応する短辺から外方へ若干長さ（１ｃｍ程度）それぞれ突出している。
なお、両ゴムバンド１６，１７は平ゴム紐である。両ゴムバンド１６，１７は白色であるが、一方を青色や赤色など別色にすれば、扇風機用フィルタ１０の製造時に、不織布１５の両長辺部１５ａ，１５ｂに縫着されるゴムバンド１６，１７を簡単に識別することができる。また、両ゴムバンド１６，１７の太さ（幅）を代えても色を変更した場合と同様の効果が得られる。さらに、長ゴムバンド１６より短ゴムバンド１７の弾性力（引っ張り力を作用させた際のゴムバンドの伸長の度合い）を高めるようにしてもよい。
また、扇風機用フィルタ１０には、使用時に用いられる備品として、布片の両面全域に多数の鉤状突起がそれぞれ植設された１対の面状ファスナ（掛止部材）１９が存在する。
【００２８】
次に、この実施例１に係る扇風機用フィルタ１０の使用方法を説明する。
図３および図４に示すように、扇風機用フィルタ１０の使用時には、不織布１５により羽根ガード１４の背面部１４Ｂを外方から被覆する。その際、不織布１５のうち、長ゴムバンド１６が固着された一方の長辺部１５ａを、この長ゴムバンド１６を伸長させながら羽根ガード１４の大径部の全域に当てがい、両結束部１８同士を結ぶ。これにより、大きさが異なる羽根ガード１４であっても、長ゴムバンド１６の弾性力により、不織布１５の一方の長辺部１５ａを羽根ガード１４の大径部の全周にわたって隙間なく密着させることができる。その結果、羽根ガード１４のサイズにかかわらず高い集塵効果を得ることができる。
【００２９】
次に、不織布１５の一方の端部と他方の端部とを重ね合わせ、その重なり部分の間に１対の面状ファスナ１９を離間配置し、不織布１５の両端部同士を掛止する。これにより、扇風機１１の使用中に、不織布１５の両端部に隙間が形成され、そこから埃などが羽根ガード１４の内部空間に吸い込まれるおそれが無くなる。
このとき、不織布１５のうち、短ゴムバンド１７が縫着された他方の長辺部１５ｂは、羽根ガード１４のモータ部１２の周りに配置される。この他方の長辺部１５ｂは、一方の長辺部１５ａに比べて長さが短く、通常時に多数のギャザーを有している。そのため、長ゴムバンド１６の場合のように、両端部に結束部１９を配置してこれらを結び止めなくても、羽根ガード１４の大径部に比べて小径なモータ部１２の周りに配置するだけで、この他方の長辺部１５ｂをモータ部１２の周りに隙間なく沿わせることができる。
【００３０】
しかも、多数のギャザーにより捕集面積も大きい。その結果、羽根ガード１４とモータ部１２との連結部分における集塵効果が高まるとともに、使用時における扇風機用フィルタ１０の装着の手間を省ける。また、扇風機用フィルタ１０は、このように使用することで、羽根ガード１４への取り付けが容易で、使用中の外観も良好となる。
なお、長ゴムバンド１６に結束部１８を省略するとともに、短ゴムバンド１７の両端部に結束部１８を配設することも考えられる。しかしながら、これでは使用時に不織布１５がモータ部１２の方向へ引っ張られてしまい、不織布１５により羽根ガード１４の背面部１４Ｂの全域を被覆できなくなる。もちろん、両ゴムバンド１６，１７の両端部にそれぞれ結束部１８を設けてもよい。
【００３１】
その後、モータ部１２の出力シャフトを回転し、回転羽根１３を回転させると、室内の空気は羽根ガード１４の背面部１４Ｂから羽根ガード１４の内部空間に吸い込まれる。そして、羽根ガード１４の前面部から扇風機１１の前方へ吹き出される。このとき、室内の空気中を浮遊している微細なごみやほこりは、この背面部１４Ｂの全域を略完全に被覆した不織布１５により、高い集塵率でろ過される。
このように、不織布１５を略矩形状としたので、不織布１５を例えば反物状の不織布ロールを裁断のみによって簡単かつ高い歩留まりで製造することができる。しかも、略矩形状の不織布１５に対する固着部分の長さが異なるように、不織布１５の両長辺部１５ａ，１５ｂに１対の弾性バンド１６，１７を固着したので、羽根ガード１４のサイズにかかわらず高い集塵効果が得られ、かつ使用中の外観も良好で、羽根ガード１４への取り付けも容易な扇風機用フィルタ１０を、少ない部品点数で製造することができる。
【図面の簡単な説明】
【００３２】
【図１】この発明の実施例１に係る扇風機用フィルタの斜視図である。
【図２】この発明の実施例１に係る扇風機用フィルタに使用される不織布の展開図である。
【図３】この発明の実施例１に係る扇風機用フィルタの使用状態を示す正面図である。
【図４】この発明の実施例１に係る扇風機用フィルタの使用状態を示す背面図である。
【符号の説明】
【００３３】
１０  扇風機用フィルタ、
１１  扇風機、
１２  モータ部、
１３  回転羽根、
１４  羽根ガード、
１４Ｂ  背面部、
１５  不織布、
１５ａ  一方の長辺部、
１５ｂ  他方の長辺部、
１６  長ゴムバンド（弾性バンド）、
１７  短ゴムバンド（弾性バンド）、
１８  結束部、
１９  面状ファスナ（係止部材）。
【図１】
2007239557.tif 000003
【図２】
2007239557.tif 000004
【図３】
2007239557.tif 000005
【図４】
2007239557.tif 000006